(57)【特許請求の範囲】
【請求項１】
底面を有する筐体と、
前記筐体に摺動可能に接続され、前記底面との間に隙間を有するスライドトレイと、
前記スライドトレイに設けられており、前記スライドトレイによって前記筐体内に滑り込み、又は前記筐体内から滑り出す記憶モジュールと、
前記記憶モジュールに電気的に接続された転送配線と、
前記転送配線を結束し、一端が前記スライドトレイに接続され、対向する他端が前記筐体の前記底面に固設されており、順次に枢接された複数の接続ユニットを含み、前記記憶モジュールが前記スライドトレイによって前記筐体内に滑り込む場合に、前記複数の接続ユニットの一部は、前記隙間内に収納され、前記底面での正面投影が少なくとも部分的に重なる第１部分と第２部分を形成するように折り曲げられるケーブル保護部材と、
を備えるサーバー装置。
【請求項２】
前記記憶モジュールが前記スライドトレイによって前記筐体内に滑り込み、又は前記筐体から滑り出す間に、前記接続ユニットの一部は、互いに回転して、前記ケーブル保護部材の折り曲げ部を変形させる請求項１に記載のサーバー装置。
【請求項３】
各前記接続ユニットは、
上板と、
前記上板とピッチで分離されるように対向し、前記転送配線が前記ピッチの間に収納される下板と、
を含む請求項１又は２に記載のサーバー装置。
【請求項４】
各前記接続ユニットは、
前記上板と前記下板との間に接続されており、一端に枢支孔を有し、対向する他端に枢軸を有する第１側板を更に含み、
隣接接続された２つの前記接続ユニットの前記枢軸は、前記枢支孔内に位置制限されて回転する請求項３に記載のサーバー装置。
【請求項５】
各前記接続ユニットは、
前記第１側板に対向して設けられており、前記上板と着脱可能に係合されるように、前記上板と前記下板との間に接続された第２側板を更に含む請求項４に記載のサーバー装置。
【請求項６】
各前記接続ユニットは、
上板と、
前記上板とピッチで分離されるように対向する下板と、
を含み、
隣接接続された２つの前記接続ユニットの前記ピッチが互いに連通して、前記転送配線が前記接続ユニットの前記ピッチの間に穿設されるようにする請求項１又は２に記載のサーバー装置。
【発明の詳細な説明】
【技術分野】
【０００１】
本発明は、サーバー装置に関し、特に、スライドトレイを有するサーバー装置に関する。
【背景技術】
【０００２】
従来のサーバーでは、記憶可能な情報量を増加するために、同時に多数のハードディスクを積載する必要がある。サーバーは、１列のハードディスクを有し、１つのマザーボードを組み合わせて、１列のハードディスクを制御する。１つのサーバーでハードディスク容量を増加するには、更に１列のハードディスクを増設する必要がある。しかし、１列のハードディスクを増設すると、ハードディスクの修理・交換が必要になった場合に、前後列のハードディスクが互いに妨げとなり、修理上の不便を招いてしまう。前後列のハードディスクの間に一定の空間を保持すると、サーバーの体積が過大となり、また空間コストが増加し、確実に欠点となる。
【０００３】
現在、スライドトレイによってハードディスクを収納することで、サーバーの空間の無駄遣いという問題を克服するような、スライドトレイを有するサーバー装置を使用する当業者が存在する。しかしながら、修理者がスライドトレイをサーバーに滑り込ませ、又はサーバーから滑り出させる場合、転送線を連動して移動させることがあるため、転送線の絡まり又は詰まりの問題が常にある。
【発明の概要】
【発明が解決しようとする課題】
【０００４】
本発明の一態様は、従来の技術における転送線の絡まり又は詰まりの問題を解決するためのサーバー装置を提供することである。
【課題を解決するための手段】
【０００５】
本発明の一実施例によれば、底面を有する筐体と、筐体に摺動可能に接続されたスライドトレイと、スライドトレイに設けられており、スライドトレイによって筐体内に滑り込み、又は筐体内から滑り出すことができる記憶モジュールと、記憶モジュールに電気的に接続された転送配線と、転送配線を結束し、一端がスライドトレイに接続されて、対向する他端が筐体の底面に固設されており、順次に枢接された複数の接続ユニットを含み、底面での正面投影が少なくとも部分的に重なる第１部分と第２部分を形成するように折り曲げられるケーブル保護部材と、を備えるサーバー装置である。
【０００６】
本発明の一実施例によれば、前記記憶モジュールがスライドトレイによって筐体内に滑り込み又は滑り出す間に、接続ユニットの一部は、互いに回転して、ケーブル保護部材の折り曲げ部を変形させてもよい。
【０００７】
本発明の一実施例によれば、前記各接続ユニットは、上板と、上板とピッチで分離されるように対向し、転送配線がピッチの間に収納されてもよい下板と、を含んでもよい。
【０００８】
本発明の一実施例によれば、前記接続ユニットは、上板と下板との間に接続されて、一端に枢支孔を有し、対向する他端に枢軸を有する第１側板を更に含み、隣接接続された２つの接続ユニットの枢軸は、枢支孔内に位置制限されて回転してもよい。
【０００９】
本発明の一実施例によれば、前記接続ユニットは、第１側板に対向して設けられ、上板と着脱可能に係合されるように、上板と下板との間に接続された第２側板を更に備える。
【００１０】
本発明の他の１つの実施例によれば、前記接続ユニットは、上板と、上板とピッチで分離されるように対向する下板と、を更に含み、隣接する２つの接続ユニットのピッチが互いに連通して、転送配線が接続ユニットのピッチの間に穿設されるようにする。
【００１１】
本発明の一実施例によれば、前記ピッチは、４ｃｍ以下である。
【００１２】
本発明の一実施例によれば、前記スライドトレイと底面の間に隙間を有し、記憶モジュールがスライドトレイによって筐体内に滑り込まれる場合、接続ユニットの一部は、隙間に収納される。
【００１３】
本発明の一実施例によれば、前記接続ユニットの高さは、６ｃｍ以下である。
【００１４】
本発明の一実施例によれば、前記ケーブル保護部材の折り曲げられた外径は、２５ｃｍ以下である。
【発明の効果】
【００１５】
以上をまとめると、本発明の上記１つ又は複数の実施例のケーブル保護部材は、転送配線を結束して保護し、サーバー装置のスライドトレイが往復運動する場合に、転送配線を摩耗しないようにすることができる。なお、ケーブル保護部材は、互いに枢接された複数の接続ユニットを含み、記憶モジュールがスライドトレイによって筐体に滑り込み、又は筐体から滑り出す場合、接続ユニットの一部は、互いに回転して、縛られた転送配線を共に牽引して移動させて、転送配線がサーバー装置での絡まり又は詰まりを避けることができる。
【図面の簡単な説明】
【００１６】
【図１】本発明の一実施例に係るサーバー装置の記憶モジュールが筐体内から滑り出した様子を示す斜視図である。
【図２】本発明の一実施例に係るサーバー装置の一部の記憶モジュールが筐体に滑り込んだ様子を示す斜視図である。
【図３】図２の一部を示す拡大斜視図である。
【図４】本発明の一実施例による接続ユニットの単体を示す斜視図である。
【図５】本発明の一実施例による複数の接続ユニットの接続状態を示す側面図である。
【図６】本発明の一実施例による接続ユニットの上板を開ける様子を示す模式図である。
【発明を実施するための形態】
【００１７】
以下、図面及び詳しい説明で本発明の精神を明らかに説明する。当業者であれば、本発明の好適な実施形態を理解する上で、本発明の教示した技術によって、本発明の精神と範囲から逸脱せずに、変更や修正を加えることができる。
【００１８】
下記実施例では、スライドトレイが内設されており、ユーザーがスライドトレイによってサーバー装置内の複数の記憶モジュール（例えば、ハードディスク）を共に引き出すことができるサーバー装置を開示する。この場合、サーバー装置の内部における転送配線もそれに伴って移動し、これにより、これらの記憶モジュールが依然としてサーバー装置の内部における回路基板と電気的に接続されることができる。このため、下記実施例のサーバー装置では、単一の記憶モジュールに対して修理・交換する場合、他の記憶モジュールが依然として作動の状態にされることができる。更に、転送配線の移動中の絡め又は詰まりの現象の発生を避けるために、下記実施例では、内部にケーブル保護部材を有するサーバー装置を更に提供する。
【００１９】
図１を参照されたい。図１は、本発明の一実施例に係るサーバー装置の記憶モジュールが筐体内から滑り出された様子を示す斜視図である。図２は、本発明の一実施例に係るサーバー装置の一部の記憶モジュールが筐体内に滑り込まれた様子を示す斜視図である。図に示すように、サーバー装置１００は、筐体１１０と、スライドトレイ１２０と、複数の記憶モジュール１３０と、転送配線１４０と、ケーブル保護部材１５０と、を備え、複数の記憶モジュール１３０は、２列のアレイに分けられて排列されるようにスライドトレイ１２０に受けられて、スライドトレイ１２０の摺動に従って筐体１１０に滑り込まれ、又は筐体１１０にから滑り出すことができる。転送配線１４０は、スライドトレイ１２０の摺動に従って移動して、常に記憶モジュール１３０と電気的に接続されてもよい。ケーブル保護部材１５０は、転送配線１４０の移動中の詰まり、絡まり又は摩耗の発生を避けるために、転送配線１４０を結束して保護することができる。
【００２０】
より具体的には、本実施例において、筐体１１０は、底面１１２を有する。スライドトレイ１２０は、筐体１１０に摺動可能に接続されると共に、底面１１２において摺動方向３００に沿って摺動して、記憶モジュール１３０がスライドトレイ１２０によって筐体１１０内に滑り込み、又は筐体１１０内から滑り出すようにする。
【００２１】
転送配線１４０は、記憶モジュール１３０の情報を転送するように、記憶モジュール１３０に電気的に接続されている。より具体的には、転送配線１４０は、対向する第１末端１４１と第２末端１４２（図１に示す）を有してもよい。第１末端１４１は、スライドトレイ１２０上の回路基板（図示せず）に接続されてもよく、複数の記憶モジュール１３０が、この回路基板を共用して、更に転送配線１４０によって情報を転送することができる。
【００２２】
図１を参照されたい。第２末端１４２は、筐体１１０の底面１１２に接続されてもよい。本実施例において、サーバー装置１００は、筐体１１０の底面１１２に設けられると共に、第２末端１４２に接続されてもよいブレークアウト基板１８０を備えてもよい。なお、サーバー装置１００は、同様にブレークアウト基板１８０に接続されてもよく、またサーバー装置１００内部のマザーボード２２０に接続されてもよい固定配線２３０を更に備える。なお、ブレークアウト基板１８０における固定配線２３０は、転送配線１４０に電気的に接続されて、複数の記憶モジュール１３０の情報がスライドトレイ１２０上の回路基板、転送配線１４０及び固定配線２３０を介してマザーボード２２０に転送されるようにしてもよい。
【００２３】
本実施例において、転送配線１４０は、スライドトレイ１２０の移動に従って牽引されるので、ケーブル保護部材１５０に套設されてもよい。ケーブル保護部材１５０は、一端がスライドトレイ１２０に接続され、対向する他端が筐体１１０の底面１１２に固設されてもよく、例えば、底面１１２のブレークアウト基板１８０に固定されてもよい。転送配線１４０は、ケーブル保護部材１５０に穿設され、ブレークアウト基板１８０内の固定配線２３０に接続されてもよい。なお、転送配線１４０をケーブル保護部材１５０に穿設することによって、ケーブル保護部材１５０で転送配線１４０をバウンドするようになるので、転送配線１４０が移動中で互いに絡めることを避けると共に、転送配線１４０を移動中で摩耗されないように保護することができる。
【００２４】
一部の実施例において、スライドトレイ１２０の後壁１２２は、固定部材１９０を更に備えてもよい。固定部材１９０は、記憶モジュール１３０の方向に反対して凸設される。ケーブル保護部材１５０は、一端が固定部材１９０に固定されてもよく、転送配線１４０は、固定部材１９０とケーブル保護部材１５０に直接に穿設されてもよい。固定部材１９０によって、転送配線１４０とケーブル保護部材１５０をスライドトレイ１２０の後壁１２２におけるある高さに固定することができ、これにより、転送配線１４０及びケーブル保護部材１５０の移動中の順調性を増加することができる。
【００２５】
注意すべきなのは、ケーブル保護部材１５０は、互いに枢接された複数の接続ユニット１５１を更に備えてよく、記憶モジュール１３０がスライドトレイ１２０によって筐体１１０内に滑り込み、又は筐体１１０から滑り出す間に、ケーブル保護部材１５０における接続ユニット１５１の一部が互いに回転することができる。回転中の接続ユニット１５１は、ケーブル保護部材１５０における折り曲げ部Ｂを構成してもよい。ケーブル保護部材１５０は、この折り曲げ部Ｂによって、底面１１２での正面投影が少なくとも部分的に重なる第１部分Ｐ１及び第２部分Ｐ２を形成することができる。例えば、図１において、折り曲げ部Ｂを構成する接続ユニット１５１同士の間の角度を１８０度よりも小さくしてもよい。複数の順次に枢接された接続ユニット１５１の同士が何れも１８０度よりも小さい角度をなす場合、ケーブル保護部材１５０は、全体で反対方向に折り曲げられてもよい。この場合、ケーブル保護部材１５０に縛られた転送配線１４０も、ケーブル保護部材１５０に従って共に折り曲げられ、ケーブル保護部材１５０によって保護し牽引し、転送配線１４０は、スライドトレイ１２０の往復運動の途中、摩耗又は転送配線１４０同士の絡まりを生じない。
【００２６】
スライドトレイ１２０の往復運動の途中、折り曲げ部Ｂは、スライドトレイ１２０の移動に従って変形する。例として、図１に示すように、記憶モジュール１３０が筐体１１０から完全に外に引き出される場合、折り曲げ部Ｂは、筐体１１０の底面１１２のブレークアウト基板１８０に比較的に近接する。次に、図２に示すように、記憶モジュール１３０がスライドトレイ１２０によって次第に筐体１１０内に滑り込まれる場合、折り曲げ部Ｂは、スライドトレイ１２０の固定部材１９０に比較的に近接する。
【００２７】
図３を参照されたい。図３は、図２の一部を示す拡大斜視図である。図に示すように、一部の実施例において、スライドトレイ１２０と底面１１２の間に隙間ｄを有してもよい。記憶モジュール１３０がスライドトレイ１２０によって筐体１１０内に滑り込む場合、接続ユニット１５１の一部は、隙間ｄ内に収納されてもよいので、ケーブル保護部材１５０が、記憶モジュール１３０が引き込み状態にされる場合、サーバー装置１００の内部での絡まり又は詰まりがなく、サーバー装置１００の内部の他の素子と互いに干渉しないことを確保することができる。
【００２８】
次に、図４を参照されたい。図４は、本発明の一実施例による接続ユニットの単体を示す斜視図である。図に示すように、接続ユニット１５１は、上板１５２及び下板１５３を含んでもよく、上板１５２と下板１５３が互いに対向し、上板１５２と下板１５３の間にピッチＳで分離され、転送配線１４０がピッチＳの間に収納されることができる。一部の実施例において、隣接接続された２つの接続ユニット１５１の間のピッチＳが互いに連通して、転送配線１４０がこれらの接続ユニット１５１のピッチＳの間に穿設されることができるようにしてもよい。一具体的な実施例において、接続ユニット１５１の高さＨは、６ｃｍ以下であってもよく、ピッチＳの大きさは４ｃｍ以下であってもよいが、本発明はこれらに限定されない。転送配線１４０がピッチＳの間に順調に穿設されることができるように、ピッチＳの大きさは、転送配線１４０の厚さよりも僅かに大きくしてもよい。
【００２９】
続いて、図４を参照されたい。一部の実施例において、接続ユニット１５１は、互いに対向するように、それぞれ上板１５２と下板１５３との間に接続された第１側板１５４及び第２側板１５５を更に含んでもよい。第１側板１５４と第２側板１５５の対向する両端は、それぞれ枢支孔１５６と枢軸１５７を有し、第１側板１５４の一端の枢支孔１５６と第２側板１５５の一端の枢支孔１５６が互いに対向し、第１側板１５４と対向する他端の枢軸１５７と第２側板１５５と対向する他端の枢軸１５７が互いに対向する。このように、隣接接続された２つの接続ユニット１５１の枢軸１５７は、枢支孔１５６内に位置制限されて回転してもよい。即ち、隣接する２つの接続ユニット１５１が互いに接合する場合、一方の接続ユニット１５１の枢軸１５７は、他方の接続ユニット１５１の枢支孔１５６に位置制限されて、隣接接続された２つの接続ユニット１５１が互いに回転して、更にケーブル保護部材１５０が反方向に折り曲げられるようにすることができる。
【００３０】
注意すべきなのは、一部の実施例において、ケーブル保護部材１５０の折り曲げの外径は、スライドトレイ１２０と底面１１２との間の隙間ｄよりも小さくする必要があり、それにより、記憶モジュール１３０がサーバー装置１００の内部に引き込まれる場合、ケーブル保護部材１５０が隙間ｄ内に収納されるようにする。
【００３１】
更に、図５を参照されたい。図５は、本発明の一実施例による複数の接続ユニットの接続状態を示す側面図である。図に示すように、本実施例において、ケーブル保護部材１５０には、４つの接続ユニット１６１、１６２、１６３、１６４を備え、隣接する２つの接続ユニット１６１、１６２、１６３、１６４の第１側板１５４又は第２側板１５５の間の角度θは、９０度〜１８０度（図５では、第２側板１５５を例とする）にあってもよい。具体的には、図５を例として、図において、底部右側から順次に計算された第１接続ユニット１６４と第２接続ユニット１６３の第２側板１５５は、約１７５度の角度をなすが、第２接続ユニット１６３と第３接続ユニット１６２の第２側板１５５は、約９５度の角度をなすと共に、第３接続ユニット１６２と第４接続ユニット１６１も約９５度の角度をなす。この場合、ケーブル保護部材１５０は、約２５ｃｍの折り曲げ外径を有するが、本発明はこれらに限定されない。他の実施例において、隣接する２つの接続ユニット１６１、１６２、１６３、１６４の第１側板１５４又は第２側板１５５の間の角度θが９０度よりも小さいときには、ケーブル保護部材１５０の折り曲げの外径は、２５ｃｍよりも小さくてもよい。それに対して、スライドトレイ１２０と底面１１２の間の隙間ｄは、約２５ｃｍ以上にならないと、ケーブル保護部材１５０を隙間ｄに収納できない。なお、上記隙間ｄの大きさと第１側板１５４又は第２側板１５５との間の角度θの大きさは、単なる一例であり、本発明の範囲を限定するためのものではない。製品を応用する場合、隙間ｄと角度θの大きさは、何れも実際な使用需要に応じて調整されてもよい。
【００３２】
次に、図６を参照されたい。図６は、本発明の一実施例による接続ユニットの上板を開ける様子を示す模式図である。図に示すように、接続ユニット１５１の第２側板１５５は、上板１５２と着脱可能に係合されてもよい。更に言えば、接続ユニット１５１の第２側板１５５の外壁面には、１つのバンプ１５８を有する。上板１５２は、一端が第１側板１５４に接続され、他端にバンプ１５８を係合するための係合穴１５９を有する。なお、上板１５２は、弾性を有し、僅かに変形して係合穴１５９とバンプ１５８を互いに分離させることができる、プラスチック材料であってもよい。一具体的な実施例において、接続ユニット１５１は、プラスチックを一体成形して製造してもよい。このように、ユーザーがサーバー装置１００の転送配線１４０を接続ユニット１５１に穿設することを便利にする。
【００３３】
注意すべきなのは、図４を参照されたい。一部の実施例において、接続ユニット１５１の第１側板１５４と第２側板１５５の枢支孔１５６を有する一端に、それぞれ止め面１６０（第１側板１５４に示す）を有してもよいが、枢軸１５７を有する一端に、当接面１６５（第２側板１５５に示す）を有する。２つの接続ユニット１５１の第１側板１５４の間に１８０度の角度をなす場合、一方の接続ユニット１５１の止め面１６０は、他方の接続ユニット１５１の当接面１６５と当接してもよい。このように、確実に、互いに枢接された接続ユニット１５１が同一の方向に沿ってしか回転できないようにすることができる。例として、図５におけるケーブル保護部材１５０は、時計回り方向のみに沿って反ることができ、このように、接続ユニット１６１、１６２、１６３、１６４が互いに回転する途中で、回転方向が不一致になって、スライドトレイ１２０の摺動に影響を与えることを避けることができる。
【００３４】
以上のように、本発明の上記実施例に係るサーバー装置は、その内部のケーブル保護部材によって転送配線を結束して被覆するので、転送配線がスライドトレイの往復運動の途中で摩耗しないようにすることができる。なお、ケーブル保護部材は、互いに枢接された複数の接続ユニットを有し、記憶モジュールがスライドトレイによって筐体内に滑り込み、又は筐体内から滑り出す場合、接続ユニットの一部が互いに回転して、ケーブル保護部材における転送配線を折り曲げるように牽引することによって、転送配線がサーバー装置で互いに絡まらないようにすることができる。且つ、サーバー装置のスライドトレイと底面の間に隙間を有してよく、記憶モジュールがスライドトレイによって筐体内に滑り込む場合に、接続ユニットの一部は、隙間内に収納されるので、記憶モジュールが引き込まれた状態で、ケーブル保護部材がサーバー装置の内部で絡まる又は詰まることがなく、且つサーバー装置の内部の他の素子と互いに干渉しないことを確保することができる。
【００３５】
本発明を実施形態で前述の通り開示したが、これは本発明を限定するためのものではなく、当業者であれば、本発明の精神と範囲から逸脱しない限り、各種の変更や修正を加えることができる。従って、本発明の保護範囲は、特許請求の範囲で指定した内容を基準とする。
【符号の説明】
【００３６】
１００  サーバー装置
１１０  筐体
１１２  底面
１２０  スライドトレイ
１２２  後壁
１３０  記憶モジュール
１４０  転送配線
１４１  第１末端
１４２  第２末端
１５０  ケーブル保護部材
１５１  接続ユニット
１５２  上板
１５３  下板
１５４  第１側板
１５５  第２側板
１５６  枢支孔
１５７  枢軸
１５８  バンプ
１５９  係合穴
１６０  止め面
１６１  第４接続ユニット
１６２  第３接続ユニット
１６３  第２接続ユニット
１６４  第１接続ユニット
１６５  当接面
１８０  ブレークアウト基板
１９０  固定部材
２２０  マザーボード
２３０  固定配線
３００  摺動方向
Ｂ  折り曲げ部
Ｐ１  第１部分
Ｐ２  第２部分
ｄ  隙間
Ｓ  ピッチ
Ｈ  高さ
θ  角度
【図１】
0005934321.tif 000002
【図２】
0005934321.tif 000003
【図３】
0005934321.tif 000004
【図４】
0005934321.tif 000005
【図５】
0005934321.tif 000006
【図６】
0005934321.tif 000007